(57)【要約】【課題】原稿の読み取り及び画像データの記録をやり直すこと無く、画像データを迅速に記録することができる画像読取装置を提供する。【解決手段】原稿を読み取って画像データを取得する読取部１３と、記録媒体Ｍが着脱自在に装着される第１及び第２装着部２３ａ，２３ｂと、読取部１３が取得した画像データを記録媒体Ｍに逐次記録する記録部２１とを備える複合機１に、記録媒体Ｍの容量を検出する容量検出手段と、該容量検出手段の検出結果に基づいて、空き容量が所定容量以上であるか否かを判定する容量判定手段と、画像データの取得及び記録中に前記容量判定手段が所定容量未満であると判定した場合、画像データの取得及び記録を中断させる中断手段と、画像データの取得及び記録を中断していて、前記容量判定手段が所定容量以上であると判定した場合、画像データの取得及び記録を再開させる再開手段とを備える。【選択図】図１
2008271135.tif 000002
【特許請求の範囲】
【請求項１】
原稿を読み取って画像データを取得する取得手段と、記録媒体が着脱自在に装着される装着部と、該装着部に装着された記録媒体に前記取得手段が取得した画像データを記録する記録手段とを備える画像読取装置において、
前記装着部に装着された記録媒体の容量を検出する容量検出手段と、
該容量検出手段の検出結果に基づいて、空き容量が所定容量以上であるか否かを判定する容量判定手段と、
画像データを取得及び記録している場合、前記容量判定手段が所定容量未満であると判定したとき、画像データの記録又は取得を中断させる中断手段と、
画像データの記録又は取得を中断している場合、前記容量判定手段が所定容量以上であると判定したとき、画像データの記録又は取得を開始させる開始手段と
を備えることを特徴とする画像読取装置。
【請求項２】
画像データの記録又は取得を中断している場合、前記容量判定手段が所定容量以上であると判定したとき、画像データの記録開始を受け付ける受付手段を備え、
前記開始手段は、
前記受付手段が記録開始を受け付けた場合、画像データの記録又は取得を開始させるようにしてある
ことを特徴とする請求項１に記載の画像読取装置。
【請求項３】
原稿を読み取って画像データを取得する取得手段と、記録媒体が装着される複数の装着部と、該装着部に装着された記録媒体に前記取得手段が取得した画像データを記録する記録手段とを備える画像読取装置において、
前記装着部に装着された記録媒体の容量を検出する容量検出手段と、
該容量検出手段の検出結果に基づいて、画像データが記録されている一の記録媒体の空き容量が所定容量以上であるか否かを判定する第１容量判定手段と、
画像データを取得及び記録している場合、前記第１容量判定手段が所定容量未満であると判定したとき、画像データの記録又は取得を中断させる中断手段と、
該中断手段により画像データの記録又は取得を中断した場合、前記容量検出手段の検出結果に基づいて、他の記録媒体の空き容量が所定容量以上であるか否かを判定する第２容量判定手段と、
該第２容量判定手段が所定容量以上であると判定した場合、他の記録媒体への画像データの記録又は取得を開始させる開始手段と
を備えることを特徴とする画像読取装置。
【請求項４】
画像データの記録又は取得を中断している場合、前記第２容量判定手段が所定容量以上であると判定したとき、画像データの記録開始を受け付ける受付手段を備え、
前記開始手段は、
前記受付手段が記録開始を受け付けた場合、画像データの記録又は取得を開始させるようにしてある
ことを特徴とする請求項３に記載の画像読取装置。
【請求項５】
画像データの記録中断前に記録媒体に記録された画像データと、記録中断後に記録媒体に記録される画像データとを各別に記録するようにしてあり、
各画像データを結合することにより原稿の画像データを再現するための結合データを記録媒体に記録させる手段を備える
ことを特徴とする請求項１乃至請求項４のいずれか一つに記載の画像読取装置。
【請求項６】
前記所定容量は前記結合データのデータ量以上であることを特徴とする請求項５に記載の画像読取装置。
【発明の詳細な説明】
【技術分野】
【０００１】
本発明は、原稿を読み取って取得した画像データを可搬性の記録媒体、例えばＵＳＢ（Universal Serial Bus）に記録する機能を備えた画像読取装置に関する。
【背景技術】
【０００２】
ＵＳＢメモリスキャナ機能を備えた複合機が実用化されている。該複合機は、ＵＳＢポートを備えており、スキャナで原稿を読み取って取得した画像データをＵＳＢポートに装着されたＵＳＢストレージへ逐次記録することができる。
この種の複合機は、原稿読み取り途中でＵＳＢストレージの空き容量が無くなった場合、原稿の読み取り及び画像データの記録を完全に中止するように構成されている。
【０００３】
このように構成された複合機によれば、簡易にスキャナ画像のデータを可搬性のＵＳＢストレージに保存することができ、ネットワーク接続されていないパーソナルコンピュータにも画像データを手軽に取り込むことができる。
また、読み取った画像データを逐次記録するように構成されているため、複合機が備える一時記憶用のメモリに蓄積できない高画質の画像データをＵＳＢストレージに直接保存することができる。
【０００４】
一方、特許文献１には、受信したファクシミリデータをＩＣメモリカードに記録し、ＩＣメモリカードの空き容量が無くなった場合、一時データ格納用のＲＡＭにファクシミリデータを記録するように構成されたファクシミリ装置が提案されている。なお、ＩＣメモリカード及びＲＡＭの双方の空き容量が無くなった場合、印紙用紙切れに相当するエラーコードを発信側のファクシミリ装置へ送信する。
【０００５】
また、特許文献２には、可搬性のメモリカードを複数装着することができ、撮像して得た画像データを各メモリカードに分割して記録可能なデジタルカメラが提案されている。該デジタルカメラは、撮像して得た画像データのデータ量と、各メモリカードの空き容量とを検出及び比較し、比較結果に応じて、画像データを各メモリカードに適宜分割して記録する。
【特許文献１】特開平８−２２８２７３号公報
【特許文献２】特開２００１−２５１４９５号公報
【発明の開示】
【発明が解決しようとする課題】
【０００６】
しかしながら、従来の複合機にあっては、画像読み取り途中にＵＳＢストレージの空き容量が無くなった場合、再度一から原稿を読み取る必要があるという問題があった。
【０００７】
また、特許文献１に係るファクシミリ装置は、ＩＣメモリカードの空き容量が無くなった場合、エラーコードを送信してファクシミリ受信を停止する構成であるため、上述の問題を解決することはできない。ファクシミリデータを記録するためには、読み取り途中のファクシミリデータを破棄し、空き容量を確保した上、ファクシミリデータを一から再送信してもらう必要がある。
【０００８】
特許文献２に係るデジタルカメラの構成は、取得済みの画像データを複数の記録媒体に記録する場合に有用であるが、スキャナで読み取りながら画像データを逐次記録する場合、画像データの総容量を特定できないため、上述の問題を解決することはできない。なお、大容量の画像データを一旦一時記憶用メモリに記憶し、容量を検出、比較して記録するように構成することも考えられるが、大容量の一時記憶用メモリを備える必要があり、画像データの取得及び記録に相当の時間を要するという問題が生ずる。
【０００９】
本発明は斯かる事情に鑑みてなされたものであり、画像データの取得及び記録中に記録媒体の空き容量が所定容量未満になった場合、画像データの記録を中断し、所定容量以上の空き容量が確保され次第、画像データの記録を再開するように構成することにより、原稿の読み取り及び画像データの記録をやり直すこと無く、画像データを迅速に記録することができる画像読取装置を提供することにある。
【００１０】
本発明の他の目的は、画像データの記録の再開を受け付けた上で画像データの記録を再開するように構成することにより、所望の記録先に誤り無く画像データを記録することができる画像読取装置を提供することにある。
【００１１】
本発明の他の目的は、記録媒体を装着する装着部を複数備え、画像データの取得及び記録中に一の記録媒体の空き容量が所定容量未満になった場合、画像データの記録を中断し、他の記録媒体が所定容量以上の空き容量を有しているとき、他の記録媒体へ画像データの記録を再開するように構成することにより、原稿の読み取り及び画像データの記録をやり直すこと無く、画像データを複数の記録媒体に迅速に記録することができる画像読取装置を提供することにある。
【００１２】
本発明の他の目的は、画像データの記録の再開を受け付けた上で画像データの記録を再開するように構成することにより、所望の記録媒体及び記録先に誤り無く画像データを記録することができる画像読取装置を提供することにある。
【００１３】
本発明の他の目的は、記録中断の前後に記録される画像データを各別に記録し、各画像データを結合することにより原稿の画像データを再現するための結合データを記録するように構成することにより、一の原稿の画像データを簡易に復元できるように各画像データを記録することができる画像読取装置を提供することにある。
【００１４】
本発明の他の目的は、原稿の画像データを復元するための結合データのデータ量以上の空き容量を常に残すように構成することにより、結合データを確実に記録することができる画像読取装置を提供することにある。
【課題を解決するための手段】
【００１５】
第１発明に係る画像読取装置は、原稿を読み取って画像データを取得する取得手段と、記録媒体が着脱自在に装着される装着部と、該装着部に装着された記録媒体に前記取得手段が取得した画像データを記録する記録手段とを備える画像読取装置において、前記装着部に装着された記録媒体の容量を検出する容量検出手段と、該容量検出手段の検出結果に基づいて、空き容量が所定容量以上であるか否かを判定する容量判定手段と、画像データを取得及び記録している場合、前記容量判定手段が所定容量未満であると判定したとき、画像データの記録又は取得を中断させる中断手段と、画像データの記録又は取得を中断している場合、前記容量判定手段が所定容量以上であると判定したとき、画像データの記録又は取得を開始させる開始手段とを備えることを特徴とする。
【００１６】
第１発明にあっては、装着部に記録媒体が着脱自在に装着される。記録手段は、取得手段によって原稿を読み取って取得した画像データを、装着部に装着された記録媒体へ記録する。容量検出手段は、画像データの記録先である記録媒体に十分な空き容量があるか否かを判定すべく、容量を検出する。画像データを取得及び記録している場合、容量判定手段は容量検出手段の検出結果に基づいて、記録媒体の空き容量が所定容量以上であるか否かを判定する。記録媒体の空き容量が所定容量未満であると判定された場合、中断手段は画像データの記録を中断することによって、画像データの記録漏れを防止する。開始手段は、画像データの記録の中断後、記録媒体の空き容量が所定容量以上であると判定された場合、例えば、空き容量を有する他の記録媒体が装着部に装着された場合、記録媒体中の不要なデータが削除されたような場合、画像データの記録を開始する。
従って、読み取って取得した画像データを漏れなく記録媒体に記録することができる。
なお、画像データの記録を中断及び開始する場合を説明したが、画像データの取得自体を一時中断し、記録媒体の空き容量が所定容量以上であると判定された場合、画像データの取得及び記録を開始するように構成しても良い。画像データの取得を一時中断するため、記録中断中に取得手段が取得した画像データを一時記憶するためのメモリを備える必要が無い。また、該メモリの容量をより小容量に構成することができる。
【００１７】
第２発明に係る画像読取装置は、画像データの記録又は取得を中断している場合、前記容量判定手段が所定容量以上であると判定したとき、画像データの記録開始を受け付ける受付手段を備え、前記開始手段は、前記受付手段が記録開始を受け付けた場合、画像データの記録又は取得を開始させるようにしてあることを特徴とする。
【００１８】
第２発明にあっては、受付手段は、空き容量が所定容量以上であると判定された場合であっても、画像データの記録を開始する前に記録開始を受け付ける。開始手段は、受付手段が記録開始を受け付けた場合、画像データの記録又は取得を開始させる。
従って、使用者が希望しない記録先に画像データが誤って記録されることを防止することができる。
【００１９】
第３発明に係る画像読取装置は、原稿を読み取って画像データを取得する取得手段と、記録媒体が装着される複数の装着部と、該装着部に装着された記録媒体に前記取得手段が取得した画像データを記録する記録手段とを備える画像読取装置において、前記装着部に装着された記録媒体の容量を検出する容量検出手段と、該容量検出手段の検出結果に基づいて、画像データが記録されている一の記録媒体の空き容量が所定容量以上であるか否かを判定する第１容量判定手段と、画像データを取得及び記録している場合、前記第１容量判定手段が所定容量未満であると判定したとき、画像データの記録又は取得を中断させる中断手段と、該中断手段により画像データの記録又は取得を中断した場合、前記容量検出手段の検出結果に基づいて、他の記録媒体の空き容量が所定容量以上であるか否かを判定する第２容量判定手段と、該第２容量判定手段が所定容量以上であると判定した場合、他の記録媒体への画像データの記録又は取得を開始させる開始手段とを備えることを特徴とする。
【００２０】
第３発明にあっては、複数の装着部に記録媒体が夫々着脱自在に装着される。記録手段は、取得手段によって原稿を読み取って取得した画像データを、装着部に装着された記録媒体へ記録する。容量検出手段は、画像データの記録先である記録媒体に十分な空き容量があるか否かを判定すべく、容量を検出する。画像データを取得及び記録している場合、第１容量判定手段は容量検出手段の検出結果に基づいて、画像データ記録中の一の記録媒体の空き容量が所定容量以上であるか否かを判定する。一の記録媒体の空き容量が所定容量未満であると判定された場合、中断手段は画像データの記録を中断することによって、画像データの記録漏れを防止する。第２容量検出手段は、画像データの記録を中断している場合、他の記録媒体の空き容量が所定容量以上であるか否かを判定する。開始手段は、他の記録媒体の空き容量が所定容量以上であると判定された場合、例えば、他の装着部に他の記録媒体が装着されている場合、画像データの記録を開始する。
従って、読み取って取得した画像データを漏れなく複数の記録媒体に記録することができる。
なお、画像データの記録を中断及び開始する場合を説明したが、画像データの取得自体を一時中断し、記録媒体の空き容量が所定容量以上であると判定された場合、画像データの取得及び記録を開始するように構成しても良い。画像データの取得を一時中断するため、記録中断中に取得手段が取得した画像データを一時記憶するメモリを備える必要が無い。また、該メモリの容量をより小容量に構成することができる。
【００２１】
第４発明に係る画像読取装置は、画像データの記録又は取得を中断している場合、前記第２容量判定手段が所定容量以上であると判定したとき、画像データの記録開始を受け付ける受付手段を備え、前記開始手段は、前記受付手段が記録開始を受け付けた場合、画像データの記録又は取得を開始させるようにしてあることを特徴とする。
【００２２】
第４発明にあっては、受付手段は、空き容量が所定容量以上であると判定された場合であっても、画像データの記録を開始する前に記録開始を受け付ける。開始手段は、受付手段が記録開始を受け付けた場合、画像データの記録又は取得を開始させる。
従って、使用者が希望しない記録先に画像データが誤って記録されることを防ぐことができる。例えば、他の装着部に他人が抜き忘れた記録媒体が装着されているような場合、使用者が希望しない記録媒体に画像データ記録されてしまう。本発明によればこのような事態を回避することができる。
【００２３】
第５発明に係る画像読取装置は、画像データの記録中断前に記録媒体に記録された画像データと、記録中断後に記録媒体に記録される画像データとを各別に記録するようにしてあり、各画像データを結合することにより原稿の画像データを再現するための結合データを記録媒体に記録させる手段を備えることを特徴とする。
【００２４】
第５発明にあっては、記録中断の前後に記録される各画像データを個別のファイルとして一又は複数の記録媒体に記録する。また、画像読取装置は、各画像データを結合して、原稿の画像データを復元する結合データを記録媒体に記録する。
従って、複数に分割された画像データ及び結合データを用いて、簡易に原稿の画像データを復元することができる。
【００２５】
第６発明に係る画像読取装置は、前記所定容量は前記結合データのデータ量以上であることを特徴とする。
【００２６】
第６発明にあっては、所定容量は結合データの容量以上であるため、記録媒体に結合データを記録するための空き容量を常に確保することができる。
従って、原稿の画像データを復元するための結合データを記録媒体に確実に記録することができる。
【発明の効果】
【００２７】
第１発明によれば、画像読み取り途中に記録媒体の空き容量が無くなった場合であっても、原稿の読み取り及び画像データの記録を再度一からやり直す必要が無く、画像データを迅速に記録することができる。
【００２８】
第２発明によれば、画像データの記録中断があった場合、残りの画像データを所望の記録先に誤り無く画像データを記録することができる。
【００２９】
第３発明によれば、画像読み取り途中に記録媒体の空き容量が無くなった場合であっても、原稿の読み取り及び画像データの記録を再度一からやり直す必要が無く、画像データを複数の記録媒体に迅速に記録することができる。
【００３０】
第４発明によれば、画像データの記録中断があった場合、残りの画像データを所望の記録媒体及び記録先に誤り無く画像データを記録することができる。
【００３１】
第５発明によれば、一の原稿の画像データを復元するための結合データを記録することにより、一の原稿の画像データを簡易に復元できるように各画像データを記録することができる。
【００３２】
第６発明によれば、一の原稿の画像データを復元するための結合データを確実に記録することができる。
【発明を実施するための最良の形態】
【００３３】
以下、本発明をその実施の形態を示す図面に基づいて詳述する。
図１は、本発明の実施の形態に係る複合機１（画像読取装置）の構成を模式的に示すブロック図である。
【００３４】
複合機１は、ＣＰＵを有する制御部１１、原稿を読み取り、原稿の画像データを取得する読取部１３、取得した画像データを一時的に蓄積する画像メモリ１６、及び画像メモリ１６に蓄積された画像データに基づいて、画像を用紙に形成、つまり印刷するプリンタ部１５を備えている。制御部１１は、バス２３を介して画像データの取得及び形成を制御することで、コピー機能を実現するように構成されている。
【００３５】
バス２３には、ＲＯＭ１８及びＲＡＭ２０が接続されている。ＲＯＭ１８は、フラッシュメモリからなり、複合機１の動作に必要な各種制御プログラムを格納している。制御部１１は、ＲＯＭ１８に格納されている制御プログラムをＲＡＭ２０に読み出して実行することにより、複合機１のコピー機能、ＵＳＢスキャナ機能等の各種機能を実現する。
【００３６】
読取部１３は、原稿に光を照射する光源、原稿で反射された反射光を電気信号に変換するラインＣＣＤ（Charge Coupled Devices）等の光学素子を備えており、ラインＣＣＤが変換した電気信号に基づいて原稿の画像データを取得する。そして、読取部１３は、取得した画像データを画像メモリ１６に与える。
【００３７】
プリンタ部１５は、感光ドラム、定着器等を備える電子写真方式のプリンタ装置であって、画像形成処理用のプログラムを格納した図示しないフラッシュＲＯＭを備えており、フラッシュＲＯＭに格納されたプログラムに従って、画像データに係る画像を用紙に形成する。
【００３８】
また、複合機１は、可搬性の記録媒体Ｍ，Ｍが着脱自在に装着される第１装着部２３ａ及び第２装着部２３ｂ、並びに第１及び第２装着部２３ａ，２３ｂに装着された記録媒体Ｍ，Ｍに画像データを記録制御する記録部２１を備えている。
【００３９】
記録媒体Ｍ，Ｍは例えば可搬性のＵＳＢフラッシュメモリであり、第１及び第２装着部２３ａ，２３ｂは、ＵＳＢ規格に準拠したタイプＡのＵＳＢポートを備えている。
【００４０】
記録部２１は、第１及び第２装着部２３ａ，２３ｂに装着された記録媒体Ｍ，Ｍへの画像データの記録を制御する回路、例えばＵＳＢマスストレージクラスに準拠したＵＳＢホストコントローラである。記録部２１は、読取部１３が原稿を読み取って取得した画像データを、第１装着部２３ａ又は第２装着部２３ｂに装着された記録媒体Ｍ，Ｍに直接的に記録することによってＵＳＢスキャナ機能を実現する。
【００４１】
更に、複合機１は、ファクシミリ通信により画像データを送受信するためのＮＣＵ（Network Control Unit）１２及びモデム１４、並びに送受信される画像データを所定の符号化方式、例えばＭＨ，ＭＲ，ＭＭＲ等の符号化方式に従って符号化及び復号化する符号化・復号化部２２を備えており、制御部１１は、画像データの送受信、原稿の読み取り、画像形成を制御することで、ファクシミリ機能を実現する。
【００４２】
モデム１４は、バス２３に接続されており、公衆電話回線網（PSTN:Public Switched Telephone Network）から入力されたアナログの画像データをデジタルの画像データに復調する機能を備えている。また、モデム１４は、また制御部１１の制御によってバス２３を介して画像メモリ１６から与えられた画像データをアナログの信号に変調する機能を備えている。
【００４３】
ＮＣＵ１２は、公衆電話回線網との回線３の閉結及び開放の動作を行うハードウェアであり、制御部１１の制御に応じてモデム１４とＰＳＴＮとを接続する。
【００４４】
符号化・復号化部２２は、制御部１１の制御に応じて、読取部１３が読み取った画像データを符号化して、符号化した画像データをモデム１４に与える。また、符号化・復号化部２２は、ファクシミリ通信にて受信した画像データを復号化して、画像メモリ１６に蓄える。
【００４５】
また、バス２３には、複合機１を操作するための操作部１９及び表示部１７が接続されている。表示部１７は、複合機１の動作状態、複合機１を操作するためのソフトキーを表示する液晶ディスプレイを備えている。
【００４６】
操作部１９は、表示部１７に対向配置された抵抗膜方式、又は静電容量方式のタッチパネル１９ａを備え、表示部１７に表示されたソフトキーの操作を受け付け、制御部１１がタッチパネル１９ａの操作状態を検出することができるように構成されている。
また、操作部１９は、押しボタン式のキー、例えば印刷する画像の部数を設定するためのテンキー１９ｂ、スタートボタン１９ｃ等を備えている。
【００４７】
図２乃至図４は、画像データの取得及び記録に係る制御部１１の処理手順を示すフローチャート、図５は、複合機１の動作を説明する説明図である。まず制御部１１は、操作部１９の操作を検出することによって、ＵＳＢスキャナ機能が選択されたか否かを判定する（ステップＳ１１）。ＵＳＢスキャナ機能が選択されていないと判定した場合（ステップＳ１１：ＮＯ）、制御部１１は、画像データの取得及び記録に係る処理を終える。
【００４８】
ＵＳＢスキャナ機能が選択されたと判定した場合（ステップＳ１１：ＹＥＳ）、制御部１１は、第１装着部２３ａ又は第２装着部２３ｂに装着された記録媒体Ｍがあるか否かを判定する（ステップＳ１２）。第１装着部２３ａ又は第２装着部２３ｂに装着された記録媒体Ｍが無いと判定した場合（ステップＳ１２：ＮＯ）、制御部１１は、記録媒体Ｍが装着されていない旨のエラー表示を表示し（ステップＳ１４）、画像データの所得及び記録に係る処理を終える。
【００４９】
第１装着部２３ａ又は第２装着部２３ｂに装着された記録媒体Ｍがあると判定した場合（ステップＳ１２：ＹＥＳ）、制御部１１は、第１装着部２３ａ又は第２装着部２３ｂに装着された一の記録媒体Ｍに画像データを記録すべくファイルを開く（ステップＳ１３）。つまり、制御部１１が記録部２１を制御して、記録媒体Ｍ中のファイルを開かせる。
【００５０】
そして、制御部１１は、読取部１３に原稿Ｄの読み取り及び画像データの取得を開始させる（ステップＳ１５）。次いで、制御部１１は、図５（ａ）に示すように、記録部２１を制御して取得した画像データを記録媒体Ｍに逐次記録させる（ステップＳ１６）。
なお、取得した画像データを逐次記録するとは、原稿Ｄを読み取って取得、つまりＲＡＭ２０等が一時記憶した画像データを順に記録媒体Ｍに記録することを意味する。例えば、原稿Ｄの上部分の画像データを取得した場合、中部分及び下部分の画像データの取得完了を待たずに記録媒体Ｍに原稿Ｄの上部分の画像データを記録する。同様にして、中部分の画像データの取得を完了した場合、下部分の画像データの取得完了を待たずに記録媒体Ｍに原稿Ｄの中部分の画像データを記録する。取得した画像データを逐次記録することにより、原稿Ｄ全体の画像データを全て記録できる大容量の記憶手段を用意する必要が無くなる。また、記憶手段に対する画像データの記録を完了する前に画像データの記録を開始するため、取得した画像データを迅速に記録媒体Ｍに記録することができる。但し、逐次記録中においては最終的に記録媒体Ｍに記録される画像データの容量が不明であるため、後述するような記録媒体Ｍの空き容量管理、画像データの分割記録等の処理が必要になる。
【００５１】
図５（ａ）は、原稿読取台に原稿Ｄが載せられた複合機１を模式的に示している。複合機１のブロックから上方に突出した三角印は、原稿Ｄに照射された光及び反射光であり、読取部１３が原稿Ｄを走査しながら読み取って画像データ取得する過程を示している。複合機１の右側には、第１及び第２装着部２３ａ，２３ｂに装着された記録媒体Ｍ，Ｍが模式的に図示されている。記録媒体Ｍの記録領域を長方形で示しており、白抜き矩形部分は空領域、ハッチングされた矩形部分は画像データが記録された領域を示している。
【００５２】
ステップＳ１６の処理を終えた場合、制御部１１は、図２に示すように画像データの記録先である記録媒体Ｍの容量を検出する（ステップＳ１７）。具体的には、記録媒体Ｍの空き容量を示すファイル管理情報を記録媒体Ｍから読み出し、該ファイル管理情報を参照することにより、記録媒体Ｍの容量を検出する。
【００５３】
そして、制御部１１は、記録媒体Ｍの空き容量が所定容量以上であるか否かを判定する（ステップＳ１８）。所定容量は、後述のバッチファイル（結合データ）を記録するための空き容量を確保しておくために、該バッチファイルの容量以上に設定してある。
【００５４】
記録媒体Ｍの空き容量が所定容量以上であると判定した場合（ステップＳ１８：ＹＥＳ）、制御部１１は、原稿Ｄの読み取り及び画像データの記録を終了したか否を判定する（ステップＳ１９）。原稿Ｄの読み取り及び画像データの記録を終了していないと判定した場合（ステップＳ１９：ＮＯ）、制御部１１は、処理をステップＳ１６へ戻す。原稿Ｄの読み取り及び画像データの記録を終了したと判定した場合（ステップＳ１９：ＹＥＳ）、後述の後処理を実行する。
【００５５】
ステップＳ１８で記録媒体Ｍの空き容量が所定容量未満であると判定した場合（ステップＳ１８：ＮＯ）、制御部１１は、図５（ｂ）に示すように、読取部１３に原稿Ｄの読み取り及び画像データの取得、並びに記録部２１による画像データの記録を中断させる（ステップＳ２０）。図５（ｂ）は、一の記録媒体Ｍの空き容量が所定容量未満、つまり空き容量がほとんど無い状態にあり、原稿の読み取り、画像データの記録に係る処理が中断された状態を示している。
【００５６】
そして、制御部１１は、画像データが記録されたファイルを閉じる（ステップＳ２１）。ステップＳ２１の処理によって、原稿Ｄの一部を復元するための画像データが記録された一個のファイルが生成される。
【００５７】
次いで、図３に示すように制御部１１は、記録媒体Ｍの空き容量が不足している旨を表示部１７に表示させ（ステップＳ２２）、第１装着部２３ａ及び第２装着部２３ｂに装着されている記録媒体Ｍ，Ｍの容量を検出する（ステップＳ２３）。なお、ステップＳ２２における表示は、記録媒体Ｍ内の残容量を増やすことを促す内容であれば良く、現在記録先になっている記録媒体Ｍ内の不要データを消去すること、他の記録媒体Ｍを装着すること等を促すように構成しても良い。
また、この際、操作部１９にてデータの消去を受け付け、受け付け結果に応じて記録媒体Ｍ内のデータを消去するように構成しても良い。このように構成した場合、記録媒体Ｍを交換すること無く原稿の読み取りを再開することができる。
【００５８】
次いで、制御部１１は、第１装着部２３ａに装着された一の記録媒体Ｍの空き容量が所定容量以上であるか否かを判定する（ステップＳ２４）。一の記録媒体Ｍの空き容量を所定容量以上であると判定した場合（ステップＳ２４：ＹＥＳ）、制御部１１は、操作部１９の操作状態を検出することによって画像データの記録再開を受け付け、記録再開を受け付けたか否かを判定する（ステップＳ２５）。記録再開を受け付けていない場合（ステップＳ２５：ＮＯ）、制御部１１は、処理をステップＳ２２に戻す。
【００５９】
記録再開を受け付けた場合（ステップＳ２５：ＹＥＳ）、制御部１１は、第１装着部２３ａに装着された一の記録媒体Ｍのファイルを開く（ステップＳ２６）。
【００６０】
ステップＳ２４で第１装着部２３ａに装着された一の記録媒体Ｍの空き容量が所定容量未満であると判定した場合（ステップＳ２４：ＮＯ）、制御部１１は、第２装着部２３ｂに装着された他の記録媒体Ｍの空き容量が所定容量以上であるか否かを判定する（ステップＳ２７）。
【００６１】
他の記録媒体Ｍの空き容量が所定容量未満であると判定した場合（ステップＳ２７：ＮＯ）、制御部１１は、処理をステップＳ２２に戻す。他の記録媒体Ｍの空き容量が所定容量以上であると判定した場合（ステップＳ２７：ＹＥＳ）、制御部１１は、操作部１９の操作状態を検出することによって画像データの記録再開を受け付け、記録再開を受け付けたか否かを判定する（ステップＳ２８）。記録再開を受け付けていない場合（ステップＳ２８：ＮＯ）、制御部１１は、処理をステップＳ２２に戻す。
【００６２】
記録再開を受け付けた場合（ステップＳ２８：ＹＥＳ）、制御部１１は、第２装着部２３ｂに装着された他の記録媒体Ｍのファイルを開く（ステップＳ２９）。
【００６３】
ステップＳ２６又はステップＳ２９の処理を終えた場合、制御部１１は、画像データの分割状態をＲＡＭ２０に一時記憶し（ステップＳ３０）、処理をステップＳ１５に戻す。例えば、分割情報として記録中断前に記録された画像データのファイル名と、記録再開後に記録される画像データのファイル名と、その順序を一時記憶する。
ステップＳ１５の処理が開始された場合、例えば他の記録媒体Ｍの空き容量が所定容量以上であって、該記録媒体Ｍのファイルが開かれて原稿の読み取りが開始された場合、図５（ｃ）に示すように、複合機１は中断された箇所から原稿の読み取りを再開して画像データを取得する。そして、取得された画像データが他の記録媒体Ｍに逐次記録される。
この処理によって、画像データの記録が中断された場合であっても原稿の読み取りを一からやり直す必要が無くなり、迅速に画像データを記録することができる。
【００６４】
一方、ステップＳ１９で原稿Ｄの読み取り及び画像データの記録を終了したと判定した場合（ステップＳ１９：ＹＥＳ）、図４に示すように、画像データが記録されたファイルを閉じる（ステップＳ３１）。そして、制御部１１は、ＲＡＭ２０に一時的に記憶してある分割状態を参照することにより、画像データを分割して記録したか否かを判定する（ステップＳ３２）。
【００６５】
画像データが分割して記録されていると判定した場合（ステップＳ３２：ＹＥＳ）、制御部１１は、図５（ｄ）に示すように、分割して記録された各画像データを結合して、原稿Ｄの画像データを復元するためのバッチファイルを記録媒体Ｍに記録する（ステップＳ３３）。
複数の画像データを連結するバッチファイルは公知のコンピュータプログラムである。例えば、バッチファイルのコンピュータプログラムは、インタプリタ言語で記述されており、以下の内容を含む。まず、結合された画像データを書き込むための結合ファイルを開く。そして、中断前に記録された画像データのファイルをデータ読み出し用で開く。次いで、該画像データを結合ファイルに書き込み、画像データのファイルを閉じる。次いで、中断後に記録された画像データのファイルをデータ読み出し用で開く。そして、該ファイルの画像データを結合ファイルに追記し、画像データのファイル及び結合ファイルを閉じる。なお、上述の処理手順は、一例であり、分割されて記録された画像データを結合できるコンピュータプログラムであれば、その内容及び形式の異同は問わない。また、２つの画像データを結合する例を説明したが、３つ以上に分割して画像データを記録した場合、同様の手順で３つ以上の画像データを結合するコンピュータプログラムを記録したバッチファイルを作成すれば良い。
また、結合後に分割されて記録された各画像データを消去する処理手順を含むバッチファイルを作成するように構成しても良い。不要な画像データが消去されるため、使用者の利便性を向上させることができる。
【００６６】
ステップＳ３３の処理を終えた場合、又は画像データが分割して記録されていないと判定した場合（ステップＳ３２：ＮＯ）、制御部１１は、画像データの取得及び記録に係る処理を終える。
【００６７】
図５（ｄ）のように、２つの記録媒体Ｍ，Ｍに画像データが分割して記録された場合の利用方法を説明する。パーソナルコンピュータに原稿の画像データを取り込みたい場合、各記録媒体Ｍ，Ｍに記録された画像データと、バッチファイルとをパーソナルコンピュータに複製又は移動させる。そして、バッチファイルのコンピュータプログラムをコンピュータに実行させる。バッチファイルのプログラムが実行されると、コンピュータによる上述の処理よって２つの画像データは結合され、原稿の画像データが復元される。
【００６８】
このように構成された複合機１にあっては、原稿の読み取り及び画像データの記録をやり直すこと無く、一又は複数の可搬性の記録媒体Ｍに画像データを迅速に記録することができる。
なお、図５には、第１装着部２３ａに装着された記録媒体Ｍと、第２装着部２３ｂに装着された記録媒体Ｍに画像データを分割して記録する場合を説明したが、第１装着部２３ａに装着された記録媒体Ｍの空き容量が無くなった場合に、他の記録媒体Ｍを第１装着部２３ａに装着させて、画像データを分割記録することもできる。
【００６９】
また、読み取り及び記録を再開する前に、読み取り及び記録の再開を受け付け、再開を受け付けた場合、画像データの記録を再開するように構成してあるため、使用者は、所望の記録先に誤り無く画像データを記録することができる。
【００７０】
更に、画像データを分割して記録した場合、少なくともバッチファイルが画像データと共に記録媒体Ｍに記録されるため、該バッチファイルを利用して、各画像データを結合し、原稿の画像データを再現することができる。
【００７１】
更にまた、画像データの記録を中断するか否かを判断する際、バッチファイルを記録するための空き容量を残すように構成されているため、画像データの記録を終えた時に、原稿の画像を再現するためのバッチファイルを確実に記録することができる。
【００７２】
更にまた、記録媒体Ｍの空き容量が無くなった場合、記録のみならず原稿の読み取りも中断するように構成されているため、バッファ用の大容量メモリが不要になる。
【００７３】
なお、実施の形態では、２つの装着部を装着して、複数の記録媒体に画像データを記録する例を説明したが、３つ以上の装着部を備えて３つ以上の記録媒体に画像データを分割して記録するように構成しても良い。
【００７４】
また、単一の装着部を備えて、該装着部に交換して装着された記録媒体に画像データを分割して記録するように構成しても良い。
【００７５】
更に、記録媒体の空き容量が無くなった場合、原稿の読み取り及び画像データの記録の双方を中断するように構成してあるが、原稿の読み取りを継続させ、画像データの記録のみを中断するように構成しても良い。
【００７６】
更にまた、記録媒体としてＵＳＢフラッシュメモリを例示したが、メモリカード、メモリースティック、ＳＤカード、ＭｉｎｉＳＤカード、フレキシブルディスク、ＭＯ（magnet Optical disk）ディスク、ＣＤ−Ｒ（Compact Disc-Recordable）、ＤＶＤ−Ｒ（Digital Versatile Disc-Recordable）、ＢＤ（Blu ray Disc）、ＨＤ−ＤＶＤ（High Definition-DVD）、可搬性のハードディスク等、電子的、磁気的、光学的に画像データを記録可能な他の記録媒体に画像データを記録するように構成しても良い。但し、空き容量を検出できない紙、シート等の記録媒体は除く。
【図面の簡単な説明】
【００７７】
【図１】本発明の実施の形態に係る複合機（画像読取装置）の構成を模式的に示すブロック図である。
【図２】画像データの取得及び記録に係る制御部の処理手順を示すフローチャートである。
【図３】画像データの取得及び記録に係る制御部の処理手順を示すフローチャートである。
【図４】画像データの取得及び記録に係る制御部の処理手順を示すフローチャートである。
【図５】複合機の動作を説明する説明図である。
【符号の説明】
【００７８】
１  複合機
３  回線
１１  制御部
１２  ＮＣＵ
１３  読取部
１４  モデム
１５  プリンタ部
１６  画像メモリ
１７  表示部
１８  ＲＯＭ
１９  操作部
２０  ＲＡＭ
２１  記録部
２２  符号化・復号化部
２３ａ  第１装着部
２３ｂ  第２装着部
Ｄ  原稿
Ｍ  記録媒体
【図１】
2008271135.tif 000003
【図２】
2008271135.tif 000004
【図３】
2008271135.tif 000005
【図４】
2008271135.tif 000006
【図５】
2008271135.tif 000007